(57)【特許請求の範囲】
【請求項１】
硬貨が投入可能な募金箱と、番組情報を受信してディスプレイに表示するテレビジョン装置と、募金先のコンピュータ装置とを備え、前記募金箱と前記テレビジョン装置が通信可能な状態で構成され、かつ前記テレビジョン装置と前記コンピュータ装置とが通信可能な状態で構成された募金システムであって、
前記募金箱は、投入された硬貨を検知する硬貨検知手段と、該硬貨検知手段により硬貨が検知された場合に所定の硬貨情報を前記テレビジョン装置に送信する硬貨情報送信手段とを備え、
前記テレビジョン装置は、前記募金箱から送信されてきた硬貨情報を受信する硬貨情報受信手段と、該硬貨情報受信手段により硬貨情報が受信された場合に募金があったことを認識する認識手段と、該認識手段により募金があったことを認識した場合に所定の募金情報を募金先の前記コンピュータ装置に送信する募金情報送信手段とを備えることを特徴とする募金システム。
【請求項２】
前記テレビジョン装置は、募金に関する番組情報を受信してディスプレイに表示している場合に、前記認識手段が募金があったことを認識するものとなされている請求項１に記載の募金システム。
【請求項３】
前記テレビジョン装置は、前記硬貨情報受信手段が硬貨情報として特殊キーコードを受信した場合に、前記認識手段が募金があったことを認識するものとなされている請求項１または請求項２に記載の募金システム。
【請求項４】
前記テレビジョン装置は、前記募金情報送信手段が募金情報として電話番号に関する情報を前記コンピュータ装置に送信するものとなされている請求項１ないし請求項３のいずれかに記載の募金システム。
【請求項５】
前記募金箱は、前記硬貨検知手段が光センサーにより構成されている請求項１ないし請求項４のいずれかに記載の募金システム。
【請求項６】
前記募金箱は、前記硬貨検知手段がマイクロスイッチにより構成されている請求項１ないし請求項４のいずれかに記載の募金システム。
【請求項７】
前記募金箱は、前記硬貨情報送信手段が赤外線により所定の硬貨情報を前記テレビジョン装置に送信する請求項１ないし請求項６のいずれかに記載の募金システム。
【発明の詳細な説明】
【技術分野】
【０００１】
本発明は、所定の募金先に対して実際に硬貨を出してリアルに募金するための募金システムに関する。
【背景技術】
【０００２】
従来、募金を広く一般から集める方法として、ダイヤルＱ２募金と呼ばれる電話を利用した募金システムが知られている。これは募金者が所定の慈善団体の指定番号に電話をかけると、アニメキャラクターなどの音声が流れ、該募金者に対して通話料のほかに募金となる情報料が課金される。そして、電話会社が募金者から徴収した募金（情報料）を所定の慈善団体に支払い（場合によっては慈善団体から電話会社に手数料が支払われる）、慈善団体はその支払われた募金（情報料）により発展途上国や団体を援助を行う。
【０００３】
また、最近では、インターネットの普及やハードウェア技術に向上に伴って、様々な募金システムが提案されている（特許文献１、２）。例えば、特許文献１では、募金主催者サーバと、募金賛同企業サーバと、利用者パソコンと、インターネットとを備え、募金主催者サーバは、募金賛同広告をホームページに掲載する手段と、企業のダイレクトメール要求及び電子メールアドレスを企業に通知する手段とを備え、募金賛同企業サーバは、電子メールアドレスにダイレクトメールを送る手段と、電子メールアドレスの累計に応じて募金主催者に募金 する手段とを備え、利用者パソコンは募金 主催者サーバのホームページにアクセスし、ダイレクトメール要求及び電子メールアドレスを登録する手段と、募金賛同企業サーバのダイレクトメールを可視化出力する手段とを備える募金システムが提案されている。
【０００４】
また、特許文献２では、募金先への募金を実行する募金機関の募金機関サーバと、募金機関とは独立した課金機関を経由して前記募金機関に募金を支払う募金依頼者のユーザ端末とが、ネットワークを介して送受信可能に接続され、ユーザ端末から募金機関サーバに送信され依頼された募金先と募金額のデータに基づき、課金機関が募金依頼者から募金を徴収し、募金機関に入金し、募金機関から募金先に募金を実行する募金システムが提案されている。
【０００５】
【特許文献１】特開２００２−１６３３５１号公報
【特許文献２】特開２００２−２３０２３２号公報
【発明の開示】
【発明が解決しようとする課題】
【０００６】
しかしながら、上述の電話またはインターネットを利用した募金システムは手軽に募金することができ便利であるが、自分の財布から硬貨を直接出さないために、募金をしているというリアル性に欠けるという問題があった。特に最近では便利さを追求するあまりにバーチャル的なものが多くなり、子供に対して募金の大切さを感じさせにくくなっている。
【０００７】
本発明は、上記問題に鑑みたものであって、手軽でありながらもリアルに募金することができ、ひいては子供に対して募金の大切さを感じさせることが可能な募金システムの提供を課題とする。
【課題を解決するための手段】
【０００８】
本発明は、上記課題を解決するために、硬貨が投入可能な募金箱と、番組情報を受信してディスプレイに表示するテレビジョン装置と、募金先のコンピュータ装置とを備え、前記募金箱と前記テレビジョン装置が通信可能な状態で構成され、かつ前記テレビジョン装置と前記コンピュータ装置とが通信可能な状態で構成された募金システムであって、前記募金箱は、投入された硬貨を検知する硬貨検知手段と、該硬貨検知手段により硬貨が検知された場合に所定の硬貨情報を前記テレビジョン装置に送信する硬貨情報送信手段とを備え、前記テレビジョン装置は、前記募金箱から送信されてきた硬貨情報を受信する硬貨情報受信手段と、該硬貨情報受信手段により硬貨情報が受信された場合に募金があったことを認識する認識手段と、該認識手段により募金があったことを認識した場合に所定の募金情報を募金先の前記コンピュータ装置に送信する募金情報送信手段とを備えることを特徴とする。なお、テレビジョン装置は、いわゆる一般的なテレビジョン機能のみを有するもののほか、パーソナルコンピュータ等の情報端末に内蔵されているものも含む。
【０００９】
これによれば、募金者が、募金箱に硬貨を投入すると、募金箱からテレビジョン装置に硬貨情報が送信され、テレビジョン装置において募金があったことが認識されたあと、テレビジョン装置から募金先のコンピュータに募金情報が送信される。このため、募金者が、手軽でありながらもリアルに募金することができる。
【００１０】
また、前記テレビジョン装置は、募金に関する番組情報を受信してディスプレイに表示している場合に、前記認識手段が募金があったことを認識するものとなされているのが好ましい。これによれば、募金に関する番組が放映されている場合に、当該番組とリンクしながらの募金が可能となるため、番組の趣旨や目的に応じた募金を行うことができる。
【００１１】
また、前記テレビジョン装置は、前記硬貨情報受信手段が硬貨情報として特殊キーコードを受信した場合に、前記認識手段が募金があったことを認識するものとなされているのが好ましい。これによれば、テレビジョン装置が、募金箱からの硬貨情報をその他のリモコン装置等からの各種情報と区別して認識することができる。
【００１２】
また、前記テレビジョン装置は、前記募金情報送信手段が募金情報として電話番号に関する情報を前記コンピュータ装置に送信するものとなされてもよい。これによれば、コンピュータ装置を従来のダイヤルＱ２募金システムに利用されたいたものに適用するだけで、本システムを簡単かつ確実に実現することができる。
【００１３】
また、前記募金箱は、前記硬貨検知手段が光センサーまたはマイクロスイッチにより構成されてもよい。これによれば、募金箱に投入された硬貨を簡単かつ確実に検知することができる。
【００１４】
また、前記募金箱は、前記硬貨情報送信手段が赤外線により所定の硬貨情報を前記テレビジョン装置に送信するものであってもよい。これによれば、募金箱とテレビジョン装置を特に配線する必要がなくなり、所望の位置に募金箱を置いたまま募金することができる。
【発明の効果】
【００１５】
本発明によれば、募金者が、募金箱に硬貨を投入すると、募金箱からテレビジョン装置に硬貨情報が送信され、テレビジョン装置において募金があったことが認識されたあと、テレビジョン装置から募金先のコンピュータに募金情報が送信される。このため、募金者が、手軽でありながらもリアルに募金することができ、ひいては子供に対して募金の大切さを感じさせることが可能となる。
【発明を実施するための最良の形態】
【００１６】
次に本発明の一実施形態について図面を参照しつつ説明する。
【００１７】
図１は、本実施形態に係る募金システムの構成概略図である。
【００１８】
図１において、（１）は募金者が硬貨を投入する募金箱、（２）は番組情報を受信して後述のディスプレイ部（２３）に表示するテレビジョン装置、（３）は募金先のコンピュータ装置であり、募金箱（１）とテレビジョン装置（２）は赤外線により通信可能な状態で構成され、テレビジョン装置（２）とコンピュータ装置（３）は電話回線網により通信可能な状態で構成されている。
【００１９】
前記募金箱（１）は、図２に示すように、例えば家庭で使用される貯金箱サイズのキャラクター外観のものであり、上部には１００円玉等の硬貨を投入するための投入口（１ａ）が形成され、該投入口（１ａ）に投入された硬貨が内部に所定額まで収容されるようになっている。
【００２０】
また、前記募金箱（１）は、図３に示すように、投入口（１ａ）に投入された硬貨を検知する硬貨検知部（１２）が設けられている。この硬貨検知部（１２）は、特に限定されるものではないが、例えば硬貨が投入された際に光を感知することにより硬貨を検知する光センサーや、あるいは硬貨が投入された際に硬貨に接触することにより硬貨を検知するマイクロスイッチなどが挙げられる。
【００２１】
また、前記募金箱（１）は、硬貨検知部（１２）により硬貨が検知された場合に、赤外線により所定の硬貨情報をテレビジョン装置（２）に送信する硬貨情報送信部（１３）が設けられている。この硬貨情報としては、例えば第１コードおよび第２コードからなる特殊キーコードが挙げられる。なお、（１１）は、募金箱（１）において各部を統括的に制御する制御部である。
【００２２】
前記テレビジョン装置（２）は、図４に示すように、各部を統括的に制御する制御部（２１）と、番組情報を受信する番組情報受信部（２２）と、番組の映像等を表示するディスプレイ部（２３）とを備える。これによりテレビジョン装置（２）は、テレビ局等から送られてきた番組情報を番組情報受信部（２２）により受信して、その番組情報を所定の処理の上、番組の映像等をディスプレイ部（２３）に表示する。
【００２３】
なお、このテレビジョン装置（２）は、番組情報をデジタルデータとして伝送するデジタル放送（衛星デジタル放送、地上デジタル放送等）に対応したものがよい。これによれば、高画質・高品質な映像・音声サービスのほか、高度な双方向サービスが可能となり、本システムを適用することが容易となる。
【００２４】
また、前記テレビジョン装置（２）は、募金箱から送信されてきた硬貨情報を受信する硬貨情報受信部（２４）と、該硬貨情報受信部（２４）により硬貨情報が受信された場合に募金があったことを認識する認識部（２５）と、該認識部（２５）により募金があったことを認識した場合に所定の募金情報を募金先のコンピュータ装置（３）に送信する募金情報送信部（２６）とが設けられている。
【００２５】
このテレビジョン装置（２）では、硬貨情報受信部（２４）が硬貨情報としての特殊キーコードを受信した場合に、認識部（２５）が募金があったことを認識するものとなされている。すなわち、認識部（２５）は、募金箱（１）から送信されてきた硬貨情報の第１コードを硬貨情報受信部（２４）により受信したあと、該第１コードから所定時間内に硬貨情報の第２コードを硬貨情報受信部（２４）により受信した場合には、募金があったことを認識する。一方、該第１コードから所定時間内に硬貨情報の第２コードを硬貨情報受信部（２４）により受信しなかった場合には、認識部（２５）は募金があったことを認識しないようになっている。このように硬貨情報を２段階からなる特殊キーコードとすることにより、テレビジョン装置（２）が募金箱（１）からの硬貨情報をその他のリモコン装置等からの各種情報と区別して認識することができる。
【００２６】
また、このテレビジョン装置（２）では、募金に関する番組情報を受信してディスプレイ部（２３）にデータ放送画面を表示している場合に、前記認識部（２５）が募金があったことを認識するものとなされている。すなわち、アフリカ難民、震災、津波などの募金が必要とするものについて、それに関する番組を放映する中で募金を各家庭に呼びかけるものとし、その間に募金された場合にのみ認識部（２５）が募金があったことを認識する。これによれば、募金に関する番組が放映されている間に募金可能となるため、番組の趣旨や目的に応じた募金を行うことができる。
【００２７】
また、このテレビジョン装置（２）では、募金情報送信部（２６）が募金情報として募金者の電話番号に関する情報をコンピュータ装置（３）に送信するようになっている。すなわち、前記認識部（２５）において募金があったことが認識された場合、募金情報送信部（２６）はコンピュータ装置（３）に対して電話回線網を介して電話をかけることにより募金者の電話番号を送信するようになっている。このテレビジョン装置（２）とコンピュータ装置との通信には、一般には動画と音声による放送に双方向性やインターネットとのリンクを提供するための技術であるＢＭＬ（Broadcast Markup Language）が用いられる。
【００２８】
前記コンピュータ装置（３）は、各家庭のテレビジョン装置（２）から電話回線を介して送信されてきた募金情報としての募金者の電話番号を受信するようになっている。すなわち、テレビジョン装置（２）から電話回線網を介して電話がかけられることにより通話状態となり、募金情報としての募金者の電話番号を受信（取得）したあと、応答信号をテレビジョン装置（２）に電話回線網を介して送信する。このように募金情報として募金者の電話番号を受信することにより、従来のダイヤルＱ２募金システムと同様にして募金者に対して情報料を課金することができ、電話会社から募金先の団体に対して情報料に相当する募金が支払われることが可能となる。
【００２９】
なお、このコンピュータ装置（３）は、テレビジョン装置（２）と通話状態の間に、従来のダイヤルＱ２募金システムと同様にして何らかの音声テープを流すものとしてもよいが、この場合にはテレビジョン装置（２）では音声出力されないのがよい。
【００３０】
次に本システムの動作について図  のフローチャートを用いて説明する。なお、以下の説明および図面において「ステップ」を「Ｓ」と略記する。
【００３１】
まず、募金箱（１）において、募金者が募金箱（１）の投入口（１ａ）に硬貨を投入すると、硬貨検知部（１２）が投入口（１ａ）に投入された硬貨を検知したあと（Ｓ１）、硬貨情報送信部（１３）が硬貨情報としての特殊キーコードをテレビジョン装置（２）に赤外線により送信する（Ｓ２）。
【００３２】
次に、テレビジョン装置（２）において、硬貨情報受信部（２４）が硬貨情報としての特殊キーコードを受信し（Ｓ３）、該特殊キーコードの受信により認識部（２５）が募金があったことを認識する（Ｓ４）。
【００３３】
この認識部（２５）の認識を具体的にフローチャートで示すと図６のようになる。すなわち、認識部（２５）は、Ｓ４１で硬貨情報受信部（２４）により特殊コードの第１コードを受信したか否かを判断し、第１コードを受信したと判断した場合には（Ｓ４１でＹＥＳ）、次のＳ４２に進む。一方、第１コードを受信していないと判断した場合には（Ｓ４１でＮＯ）、Ｓ４１の判断を繰り返す。そして、認識部（２５）は、Ｓ４２で所定時間内に第２コードを受信したかを判断し、所定時間内に第２コードを受信したと判断した場合には（Ｓ４２でＹＥＳ）、Ｓ４３にて募金があったことを認識してリターンする。一方、所定時間内に第２コードを受信したと判断していない場合には（Ｓ４２でＮＯ）、他のリモコン装置等からの赤外線送信などして判断して、Ｓ４１の判断に戻る。
【００３４】
そして、このように認識部（２５）において募金があったことが認識された場合、募金情報送信部（２６）が、コンピュータ装置（３）に対して電話回線網を介して電話をかけることにより募金者の電話番号を送信する（Ｓ５）。
【００３５】
次に、募金先のコンピュータ装置（３）において、テレビジョン装置（２）から電話回線網を介して電話がかけられることにより通話状態となり、募金情報としての募金者の電話番号を受信（取得）するとともに（Ｓ６）、応答信号をテレビジョン装置（２）に電話回線網を介して送信する（Ｓ７）。そして、テレビジョン装置（２）において、コンピュータ装置（３）からの応答信号を受信する（Ｓ８）。
【００３６】
このテレビジョン装置（２）におけるコンピュータ装置（３）との通信を具体的にフローチャートで示すと図７のようになる。すなわち、募金情報送信部（２６）は、Ｓ１０１で募金者宅の電話が使用されているか否かを判断し、使用されていないと判断した場合は（Ｓ１０１でＹＥＳ）、Ｓ１０２に進む。一方、使用されていると判断した場合は（Ｓ１０１でＮＯ）、Ｓ１０３でＢＭＬ応答により「只今、この家の電話は使用中です」とディスプレイ部（２３）に表示する。そして、募金情報送信部（２６）は、Ｓ１０２でＢＭＬ応答により募金先のコンピュータ装置（３）に対して電話をかけ、Ｓ１０４に進む。Ｓ１０４では、当該コンピュータ装置（３）からの応答信号が検出されたか否かを判断し、応答信号が検出されたと判断した場合（Ｓ１０４でＹＥＳ）、Ｓ１０５でＢＭＬ応答により「只今募金を受け付けました。ありがとうございました」とディスプレイ部（２３）に表示する。一方、応答信号が検出されないと判断した場合（Ｓ１０４でＮＯ）、Ｓ１０６でＢＭＬ応答により「只今、回線が混み合っており、募金が出来ませんでした」とディスプレイ部（２３）に表示する。なお、テレビジョン装置（２）とコンピュータ装置（３）が通話状態のときに音声テープを再生する場合には、Ｓ１０４の処理の後に行われ、テレビジョン装置（２）がコンピュータ装置（３）からの発信音を検出するなどして音声テープの再生終了を認識して募金を完了する。
【００３７】
あとは、コンピュータ装置（３）が、募金情報として募金者の電話番号に基づいて募金者に対して情報料を課金し、電話会社から募金先の団体に対して情報料に相当する募金が支払われる。
【００３８】
このように、募金者が、募金箱（１）に硬貨を投入すると、募金箱（１）からテレビジョン装置（２）に硬貨情報が送信され、テレビジョン装置（２）において募金があったことが認識されたあと、テレビジョン装置（２）から募金先のコンピュータ（３）に募金情報が送信される。このため、募金者が、手軽でありながらもリアルに募金することができる。
【００３９】
なお、本実施形態では、募金情報として募金者の電話番号を用いたが、これに限定されるものではなく、募金者の会員ＩＤなどであってもよい。
【００４０】
また、コンピュータ装置は、従来のダイヤルＱ２募金システムで用いられている自動音声応答装置であってもよい。
【００４１】
また、テレビジョン装置（２）と募金先のコンピュータ装置（３）とは電話回線網を介して通信するものとしたが、インターネット等のネットワークを介して通信するものであってもよい。
【図面の簡単な説明】
【００４２】
【図１】本実施形態に係る募金システムの構成概略図である。
【図２】募金箱の外観を示す正面図である。
【図３】募金箱の機能を示すブロック図である。
【図４】テレビジョン装置の機能を示すブロック図である。
【図５】本システムの動作を示すフローチャートである。
【図６】募金を認識する過程を示すフローチャートである。
【図７】このテレビジョン装置におけるコンピュータ装置との通信の過程を示すフローチャートである。
【符号の説明】
【００４３】
１・・・募金箱
２・・・テレビジョン装置
３・・・コンピュータ装置
【図１】
0004847765.tif 000002
【図２】
0004847765.tif 000003
【図３】
0004847765.tif 000004
【図４】
0004847765.tif 000005
【図５】
0004847765.tif 000006
【図６】
0004847765.tif 000007
【図７】
0004847765.tif 000008